(57)【要約】  【課題】  苗木の成長期に風雨や積雪の自然の外力だけでなく、大型草食動物の外力に対しても耐久性を備え、これらの外力による変形・破損を防止可能にし、また本体内部に上昇気流を発生させて、本体内外の空気を循環可能にする。  【解決手段】  個々の苗木を包囲し得る所要形状の筒状に成形した本体を備えた食害防止具であって、本体の内周部又は外周部に、鉛直方向全長にわたって連続又は不連続で、上端を閉塞した複数の挿入部を設け、これら挿入部に挿入した各支柱を本体の内側又は外側に嵌装する少なくとも１個の形状保持体で以て連関して固定して成る。【選択図】  図１
2005080501.tif 000002
【特許請求の範囲】
【請求項１】
個々の苗木を包囲し得る大きさの筒状に成形した筒状の本体を備えた食害防止具であって、本体の内周部又は外周部に、鉛直方向全長にわたって連続状態又は不連続状態で、上端を閉塞した複数の挿入部を設け、これら挿入部に挿入した各支柱を本体の内側又は外側に嵌装する少なくとも１個の形状保持体で以て固定可能にしたことを特徴とする造林苗木用食害防止具。
【請求項２】
本体の下部周方向に多数の通気孔を設けた請求項１に記載の造林苗木用食害防止具。
【発明の詳細な説明】
【技術分野】
【０００１】
本発明は、針葉樹（ヒノキ・スギ・カラマツ・アカマツ等）や広葉樹（ブナ・ミズナラ・クリ等）の苗木を、造林地域に生息する草食動物による摂食被害（以下、単に食害という）から防止するのに用いる造林苗木用食害防止具の改良に関する。
【背景技術】
【０００２】
造林地域に植栽した苗木の食害として、枝・葉への枝葉切断被害、樹皮への剥皮被害、幹への主軸切断被害がある。苗木がこのような食害を被ると、成長を著しく阻害され、時には枯死することもある。よって、苗木の食害防止は林業関係者にとって重要な問題になっている。
【０００３】
そこで、本出願人は、運搬性・組み立て容易性・通気性などを向上した食害防止具や、若木までの成長期（４−５年間）風雨・積雪の外力に耐え、用済み後は自然に分解する生分解性を付与した食害防止具を提案した。これらの食害防止具は、苗木の少なくとも幹の周囲を包囲可能にした筒状の本体を１乃至複数本の補強棒で以て垂設可能にしたものである。
【特許文献１】特開２０００−３００１４７号公報
【特許文献２】特開２００２−５８３６３号公報
【特許文献３】特開２００２−２６２７５３号公報
【特許文献４】特開２００３−１１６３７２号公報
【特許文献５】特開２００３−１１６３７３号公報
【特許文献６】特開２００３−１１６４４６号公報  ところで、近年、大型草食動物（ニホンシカ・カモシカなど）の生息する造林地域において、食害が増加傾向にあり深刻な状況にある。
【発明の開示】
【発明が解決しようとする課題】
【０００４】
本発明の課題の一つは、苗木の成長期に風雨や積雪の自然の外力に対してだけでなく、大型草食動物の外力に対しても耐久性を備え、これらの外力による変形・破損を防止可能にすることにある。また、他の課題としては、通気性の乏しい素材で本体を構成したときには、本体内部に上昇気流を発生させて、本体内外の空気を循環可能にすることにある。
【課題を解決するための手段】
【０００５】
本発明の食害防止具は、個々の苗木を包囲し得る大きさの所要形状の筒状に成形した本体を備えた食害防止具であって、本体の内周部又は外周部に、鉛直方向全長にわたって連続状態又は不連続状態で、上端を閉塞した複数の挿入部を設け、これら挿入部に本体の高さより長い棒状又はパイプ状の支柱を挿入し、各支柱を本体の内側又は外側に嵌装する少なくとも１個の環状の形状保持体で以て固定可能にしたことを特徴とする。
【０００６】
本発明において、通気性を考慮すると、本体の下部周方向に多数の通気孔を設けた構成が好適である。
【発明の効果】
【０００７】
本発明の食害防止具は、各支柱が挿入部の上部から抜けることなく形状保持体によって確実に固定される。よって、風雨・積雪の外力だけでなく、大型草食動物の外力に対する耐久性が大幅に向上し、これら外力による変形・破損を防止することができる。また、本体の下部周方向に設けた多数の通気孔によって本体内部に上昇気流が発生し、本体内外の空気が循環する。よって、通気性の乏しい素材で以て本体を構成しても、本体内部の温湿度が下がり、多湿の造林地域においても蒸れによる苗木に対する悪影響を防止することができる。
【発明を実施するための最良の形態】
【０００８】
以下、実施例を図面に基づいて説明する。
【実施例１】
【０００９】
図１に示す形態の食害防止具Ａは、個々の苗木を包囲し得る大きさの円筒状に成形した本体１と、この本体１の内側対称位置に鉛直方向全長にわたって連続して設けた挿入部１ａ、１ａと、各挿入部１ａに下端部分が露出するように挿入した支柱２と、本体１と支柱２、２に内接して水平状態に嵌装した環状の形状保持体３とから成る。また、挿入部１ａの下部と支柱２とは接着剤や留め具（図示省略）などで以て固定する。
【００１０】
上記挿入部１ａは、上端を閉塞し下端を開放して、下方より支柱２を挿入可能にして成る。上記形状保持体３は、図３に示すように、本体１の内部形状と略一致する形状と所要の巾を有し、その外側に挿入部１ａ、１ａを介して支柱２、２と嵌合する切欠き部３ａ、３ａを設けて成る。
【００１１】
図２に示す形態の食害防止具Ｂは、円筒状の本体４と、この本体４の外側対称位置に鉛直方向に間隔をおいて不連続状態で設けた挿入部４ａ、４ａ．．と、各挿入部４ａに挿入した支柱５と、支柱５、５に外接して水平状態に嵌装した環状の形状保持体６とから成る。また、挿入部４ａの下部と支柱５とは接着剤や留め具（図示省略）などで以て固定する。
【００１２】
上記挿入部のうち上側の挿入部４ａは、上端を閉塞し下端を開放して、下方より支柱５を挿入可能にして成る。上記形状保持体６は、本体４の外部形状と略一致する形状と所要の巾を有し、その内側に支柱５、５と嵌合する切欠き部６ａ、６ａを設けて成る。
【００１３】
上記構成の食害防止具Ａ、Ｂは、植栽した苗木の上方より被せて、支柱の下端を地中に埋設することにより簡単に取り付けることができる。
【００１４】
ところで、これらの場合において、本体は、高分子の板・繊維シート・フィルム・ネットなどの素材を適宜選択して用い、円筒形の他、三角・四角・多角などの所要の角筒形に成形する。本体１、４を通気性の乏しい素材で以て成形したときには、本体１、４の下部円周方向に多数の通気孔７、７．．．を設けると効果的である。
【００１５】
挿入部は、本体の一部に一体に成形するか、別体で成形して本体に固着することもある。また、その位置と数は、強度の点を考慮すると、本体が円筒形のときは円周方向の対称位置の２つ又は正三角形の各頂点の位置の３つ、また本体が角筒形のときは各辺の中点位置又は各辺の頂点位置に所定数設けるのが好適である。さらに、挿入部の上端の閉塞手段としては、本体の素材に応じて、縫製加工・熱融着加工・接着加工などを適宜選択することができる。
【００１６】
支柱の素材としては、プラスチックの他、外力に対する耐久性を考慮すると、弾性率の高い繊維強化プラスチック製の棒状又はパイプ状の軽量強度部材が好適である。
【００１７】
形状保持体は、本体の内部形状又は外部形状に略一致する形状にし、素材としては、成型性・軽量化の点を考慮すると、プラスチックや軽量複合材が好適である。また、切欠き部は、支柱と直接的に又は挿入部を介して間接的に嵌合する強度を考慮すると、支柱の外周の約２／３程度を把持可能な大きさ・形状にするのが好適である。さらに、形状保持体の数としては、本体の略中央部分に１個設けたが、本体の上・下部分に２個、又は上・中・下部分に３個設けることも可能である。
【００１８】
通気孔としては、直径１０ｍｍ以下の小孔にすると、本体内部に上昇気流を発生し得るが、孔径が大きく、個数が多すぎると、本体の強度低下を生じるから、直径２〜３ｍｍ程度で、孔間隔５ｍｍ以上が好ましい。
【００１９】
具体的には、本体として、目付４９ｇ／ｍ2 、厚み０．３２ｍｍのポリ乳酸繊維の生分解性スパンボンド不織布を用いた。上記生分解性スパンボンド不織布を巾７１０ｍｍ×長さ１５００ｍｍの長方形状に裁断して、巾方向に二つ折りにした一端を長手方向全長にわたって縫製し、また巾方向の両端から１２ｍｍのところを長さ方向全長にわたってミシン縫製して、両端部分に長さ１５００ｍｍ×直径８ｍｍの袋を有する高さ１５００ｍｍ×直径２００ｍｍの筒状物を形成し、続いて、上記筒状物の表裏を反転して各袋の一端を縫製して、内側に挿入部を有する本体を作製した。また、本体の下部周方向には、直径２ｍｍ、間隔１ｃｍで５０個１列の通気孔を形成した。
【００２０】
支柱として、直径７ｍｍ×１７００ｍｍのグラスファイバー強化プラスチック製丸棒を用いて、本体の挿入部に挿入して挿入部の下部と支柱とを接着剤で接着固定した。
【００２１】
形状保持体として、外径２００ｍｍ×内径１６０ｍｍ×厚み３ｍｍのポリプロピレン製環状板を用いて、その直径方向に直径７．１ｍｍの孔を、孔直径の外側２ｍｍを含む外周部分が環状板の外周から外れるようにあけて、２個の切欠き部を有する形状保持体を作製した。
【００２２】
そして、本体内部に上方より形状保持体を入れて、本体の略中央部分の支柱に挿入部を介して切欠部を嵌合して水平状態で固定可能にした食害防止具を作製した。
【図面の簡単な説明】
【００２３】
【図１】第１の形態の食害防止具を示し、（ａ）は正面図、（ｂ）は（ａ）のＡ−Ａ線断面図である。
【図２】第２の形態の食害防止具を示し、（ａ）は正面図、（ｂ）は（ａ）のＢ−Ｂ線断面図である。
【図３】第１の形態の食害防止具に用いる形状保持体の平面図である。
【符号の説明】
【００２４】
Ａ、Ｂ      食害防止具
１、４      本体
１ａ、４ａ  挿入部
２、５      支柱
３、６      形状保持体
３ａ、６ａ  切欠き部
７          通気孔
【図１】
2005080501.tif 000003
【図２】
2005080501.tif 000004
【図３】
2005080501.tif 000005